(57)【要約】【課題】照明部及び電源供給部が外部に露出しない照明装置を提供する。【解決手段】フレームと、フレームに結合され、外部に露出した下部面に凹部が形成されたハウジングと、凹部の下部にフレームから突出した結合部によって凹部と離隔して配置されるカバー部と、フレームとハウジングとの間に配置される照明部と、照明部に電源を供給する電源供給部とを含み、照明部は、カバー部に対応する電源供給部の一面に形成される第１のランプと、電源供給部の周方向に配置される第２のランプとを備えており、電源供給部は、第１のランプに電源を供給する第１の電源供給部と、第２のランプに電源を供給する第２の電源供給部とを備える照明装置を構成する。【選択図】図２
2012199238.tif 000002
【特許請求の範囲】
【請求項１】
フレームと、
前記フレームに結合され、外部に露出した下部面に凹部が形成されたハウジングと、
前記凹部の下部に前記フレームから突出した結合部によって前記凹部と離隔して配置されるカバー部と、
前記フレームと前記ハウジングとの間に配置される照明部と、
前記照明部に電源を供給する電源供給部と、を含み、
前記照明部は、前記カバー部に対応する前記電源供給部の一面に形成される第１のランプと、前記電源供給部の周方向に配置される第２のランプと、を備えており、
前記電源供給部は、前記第１のランプに電源を供給する第１の電源供給部と、前記第２のランプに電源を供給する第２の電源供給部と、を備える照明装置。
【請求項２】
前記凹部の中央部には、前記カバー部に突出した突出部がさらに備えられる、請求項１に記載の照明装置。
【請求項３】
前記第２のランプの周方向には第３のランプがさらに備えられる、請求項１に記載の照明装置。
【請求項４】
前記第２のランプ及び前記第３のランプは互いに異なる色温度を有する、請求項３に記載の照明装置。
【請求項５】
前記第２及び第３のランプは、蛍光灯、ネオン灯、ハロゲンランプのうちいずれか一つである、請求項３に記載の照明装置。
【請求項６】
前記第２のランプ及び前記第３のランプの照度は個別的に制御される、請求項３に記載の照明装置。
【請求項７】
前記結合部は、
前記フレームから突出して前記ハウジング及び前記カバー部に貫通した結合突起と、
前記カバー部に備えられ、前記結合突起に挿入される結合溝と、を含む、請求項１に記載の照明装置。
【請求項８】
前記ハウジング、前記カバー部及び前記突出部は透明又は半透明材質からなる、請求項１又は２に記載の照明装置。
【請求項９】
前記第１のランプは発光素子（ＬＥＤ）又は有機電界発光素子（ＯＬＥＤ）からなる、請求項１に記載の照明装置。
【発明の詳細な説明】
【技術分野】
【０００１】
本発明は、照明装置に関するもので、より詳細には、光が間接的に照射される照明装置に関するものである。
【背景技術】
【０００２】
一般に、照明装置は、天井に付着したり、ハンガータイプで天井から一定の長さだけぶら下げることによって照明を実施している。しかし、前記のような照明装置によると、光源から発光される光が直接露出するので、照明装置を通過する人にグレア（ｇｌａｒｅ）現象を起こすという問題がある。
【発明の概要】
【発明が解決しようとする課題】
【０００３】
本発明は、前記のような問題を改善するためになされたもので、照明部及び電源供給部が外部に露出しない照明装置を提供することを目的とする。
【課題を解決するための手段】
【０００４】
本発明に係る照明装置は、フレームと、前記フレームに結合され、外部に露出した下部面に凹部が形成されたハウジングと、前記凹部の下部に前記フレームから突出した結合部によって前記凹部と離隔して配置されるカバー部と、前記フレームと前記ハウジングとの間に配置される照明部と、前記照明部に電源を供給する電源供給部とを含む。このとき、前記照明部は、前記カバー部に対応する前記電源供給部の一面に形成される第１のランプと、前記電源供給部の周方向に配置される第２のランプとを備えており、前記電源供給部は、前記第１のランプに電源を供給する第１の電源供給部と、前記第２のランプに電源を供給する第２の電源供給部とを備えている。
【０００５】
また、前記凹部の中央部には、前記カバー部に突出した突出部をさらに備えることができ、前記第２のランプの周方向には第３のランプをさらに備えることができる。
【０００６】
また、前記第２のランプ及び前記第３のランプは互いに異なる色温度を有することができ、前記第２及び第３のランプは、蛍光灯、ネオン灯、ハロゲンランプのうちいずれか一つであり、前記第２のランプ及び前記第３のランプの照度は個別的に制御することができる。
【０００７】
また、前記結合部は、前記フレームから突出して前記ハウジング及び前記カバー部に貫通した結合突起と、前記カバー部に備えられ、前記結合突起に挿入される結合溝とを含むことができる。
【０００８】
また、前記ハウジング、前記カバー部及び前記突出部は、透明又は半透明材質からなり、前記第１のランプは、発光素子（ＬＥＤ）又は有機電界発光素子（ＯＬＥＤ）からなり得る。
【発明の効果】
【０００９】
本発明に係る照明装置によると、ハウジング及びカバー部などの構造物によって光が人に直接照射されずに間接的に照射されるので、ユーザーのグレア現象を防止することができる。
【００１０】
また、本発明に係る照明装置によると、カバー部とハウジングなどの構造物によって照明部が外部に露出しないので、照明装置の外観美を向上させることができる。
【００１１】
また、本発明に係る照明装置によると、照明装置を通したインテリアを効果的に具現することができる。
【図面の簡単な説明】
【００１２】
【図１】本発明の一実施例に係る照明装置の斜視図である。
【図２】本発明の一実施例に係る照明装置の分解斜視図である。
【図３】本発明の一実施例に係る照明装置の断面図である。
【発明を実施するための形態】
【００１３】
図１は、本発明の一実施例に係る照明装置の斜視図で、図２は、本発明の一実施例に係る照明装置の分解斜視図で、図３は、本発明の一実施例に係る照明装置の断面図である。
【００１４】
図１〜図３を参照すると、照明装置１００は、フレーム１１０、ハウジング１２０、カバー部１３０、照明部１４０、及び電源供給部１５０を含む。
【００１５】
フレーム１１０は、建物や構造物などに設置されるものであって、本実施例のフレーム１１０は、建物内の天井や壁面などに設置することができる。これによって、フレーム１１０の上部は建物の天井や壁面と対向し、フレーム１１０の下部は建物の床や壁面と対向するようになる。図面には、フレーム１１０を円状に示したが、本発明は、必ず円状からなるものではなく、円状以外の多様な形態からなることも可能である。
【００１６】
また、フレーム１１０の下部面には結合部１６０が備えられる。結合部１６０は、フレーム１１０下部の中心軸から突出してハウジング１２０及びカバー部１３０に貫通した結合突起１６１と、カバー部１３０の下部に備えられ、結合突起１６１に挿入される結合溝１６２とを含む。結合部１６０については、後で説明することにする。
【００１７】
ハウジング１２０は、フレーム１１０の下部を取り囲むようにフレーム１１０の下部に結合される。すなわち、ハウジング１２０は、上部が開放された形態からなり得る。ハウジング１２０は、照明部１４０から放出された光を拡散させるために拡散板で形成されたり、透明／半透明材質からなり得る。このように、ハウジング１２０が拡散板、透明／半透明材質で形成されると、室内に光を拡散させるので、室内照度を高めるという効果がある。
【００１８】
凹部１２５は、ハウジング１２０の中心軸を基準に凹状に形成された溝であって、凹部１２５にはカバー部１３０が備えられる。例えば、凹部１２５は、フレーム１１０方向に弓状に折り曲げられた形状に形成することができる。
【００１９】
突出部１２６は、凹部１２５の中心軸を基準にカバー部１３０方向に突出している。突出部１２６は、発光素子１４１の周囲を取り囲むように発光素子１４１の面積より大きい円筒状に形成することができる。これによって、突出部１２６と発光素子１４１が所定間隔だけ離隔して配置される。
【００２０】
また、突出部１２６は、発光素子１４１から照射された光をカバー部１３０方向に拡散させるためのものであって、ハウジング１２０と同様に拡散板、透明／半透明材質で形成することができる。また、突出部１２６が拡散板からなり、発光素子１４１と離隔して配置されると、直進性を有する点発光の光を面発光することができる。
【００２１】
このように、発光素子１４１の光が放出される領域に突出部１２６が備えられ、発光素子１４１から発光された点発光の光が面発光されることによって、発光面積を向上させることができる。
【００２２】
上述したように、ハウジング１２０の下部面には凹部１２５と突出部１２６が備えられ、照明部１４０から照射された光をハウジング１２０の下部面及びカバー部１３０方向に拡散させることができる。
【００２３】
カバー部１３０は、凹部１２５に備えられ、凹部１２５と所定間隔だけ離隔して配置することができる。すなわち、結合突起１６１の長さによってカバー部１３０と凹部１２５との間隔を調節することができる。このようなカバー部１３０は、カバー部１３０の下部に備えられた結合溝１６２に結合突起１６１が係止されることによってフレーム１１０と結合するようになる。これによって、フレーム１１０にカバー部１３０が固定される。
【００２４】
また、カバー部１３０は、凹部１２５の直径より小さく形成され、凹部１２５の内部に収納された形状にすることができる。また、カバー部１３０は、照明部１４０から放出された光を拡散させるために拡散板で形成されたり、透明／半透明材質からなり得る。すなわち、照明部１４０から放出された光は、ハウジング１２０及びカバー部１３０を通して外部に放出される。
【００２５】
フレーム１１０とハウジング１２０との間には照明部１４０と電源供給部１５０が備えられる。このとき、照明部１４０と電源供給部１５０は、結合部材などを通してフレーム１１０やハウジング１２０に結合することができる。本実施例では、フレーム１１０の下部面に照明部１４０と電源供給部１５０が結合される。
【００２６】
照明部１４０は、発光素子１４１及び蛍光灯１４２を含む。
【００２７】
発光素子１４１は、カバー部１３０に対応する電源供給部１５０の一面に備えられる。すなわち、発光素子１４１は、電源供給部１５０の下部面に備えられ、発光素子１４１から発光された光をハウジング１２０及びカバー部１３０を通して外部に露出させる。具体的に、発光素子１４１は、電源供給部１５０の両側に備えられたＰＣＢ基板に互いに離隔して形成される。発光素子１４１は、電気エネルギーを光エネルギーに変換して光を発生させるものであって、ＬＥＤ（Ｌｉｇｈｔ  Ｅｍｉｔｔｉｎｇ  Ｄｉｏｄｅ）又はＯＬＥＤ（Ｏｒｇａｎｉｃ  Ｌｉｇｈｔ  Ｅｍｉｔｔｉｎｇ  Ｄｉｏｄｅ）からなり得る。
【００２８】
蛍光灯１４２は、電源供給部１５０の周方向に配置される。蛍光灯１４２の周方向には、補助蛍光灯１４３をさらに配置することができる。蛍光灯１４２は、環状の蛍光ランプからなり得る。また、蛍光灯１４２と補助蛍光灯１４３は、互いに異なる色温度及び色などで具現することができる。例えば、蛍光灯１４２の色温度は２３００〜４０００Ｋに設定し、補助蛍光灯１４３の色温度は６０００〜８０００Ｋに設定することができる。
【００２９】
上述したように、照明部１４０は、発光素子１４１、蛍光灯１４２、及び補助蛍光灯１４３を備えており、多様な色及び明るさの照明によって室内インテリアを効果的に具現できるようになる。また、照明部１４０は、フレーム１１０とハウジング１２０との間に収納され、照明部１４０から発光された直接照明を間接照明化することができる。
【００３０】
電源供給部１５０は、発光素子１４１、蛍光灯１４２及び補助蛍光灯１４３に電源を供給するためのものであって、第１の電源供給部と第２の電源供給部を含む。
【００３１】
第１の電源供給部は、発光素子１４１に直流電源を供給するためのもので、コネクターなどを通して発光素子１４１と電気的に連結される。第２の電源供給部は、蛍光灯１４２及び補助蛍光灯１４３に交流電源を供給するためのもので、コネクターなどを通して蛍光灯１４２及び補助蛍光灯１４３と電気的に連結される。また、第２の電源供給部は、蛍光灯１４２と補助蛍光灯１４３の照度及びディミング制御のための制御信号線をさらに含むことができる。このように、第１の電源供給部と第２の電源供給部は一体型で形成されるので、電源供給部１５０の構造物を単純化することができる。また、電源供給部１５０は、発光素子１４１、蛍光灯１４２及び補助蛍光灯１４３に供給される電圧を選択的に供給又は遮断し、ユーザーが望む照明のみを選択的に駆動させることができる。このような第１の電源供給部及び第２の電源供給部の構造は、当業者にとって自明であるので、これに対する詳細な図面及び構成に対する詳細な説明は省略する。
【００３２】
本発明の一実施例に係る照明装置１００は、ハウジング１２０及びカバー部１３０などの構造物によって光が人に直接照射されずに間接的に照射されるので、ユーザーのグレア現象を防止することができる。また、本発明の一実施例に係る照明装置１００は、ハウジング１２０及びカバー部１３０などの構造物によって照明部１４０及び電源供給部１５０が外部に露出しないので、照明装置１００の外観美を向上させることができる。
【００３３】
以上のように、詳細な説明と図面を通して本発明の最適な実施例を開示した。各用語は、本発明を説明するための目的で使用されたものに過ぎなく、意味を限定したり、特許請求の範囲に記載された本発明の範囲を制限するために使用されたものではない。そのため、本技術分野で通常の知識を有する者であれば、これから多様な変形及び均等な他の実施例が可能であることを理解できるだろう。したがって、本発明の真の技術的保護範囲は、添付の特許請求の範囲の技術的思想によって定めるべきである。
【符号の説明】
【００３４】
１００：照明装置、１１０：フレーム、１２０：ハウジング、１３０：カバー部、１４０：照明部、１５０：電源供給部、１６０：結合部
【図１】
2012199238.tif 000003
【図２】
2012199238.tif 000004
【図３】
2012199238.tif 000005